【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
記録媒体上に画像を形成する印刷機構と、
前記印刷機構を制御し、前記印刷機構に関するデータを保持する印刷制御手段と、
前記印刷機構及び前記印刷制御手段に対して電力の供給と停止を行う電力制御手段と、
前記印刷制御手段と通信可能に接続される主制御手段と、
を備え、
前記主制御手段は、データ取得リクエストと終了リクエストとを、所定の条件に従って前記印刷制御手段に送信し、
前記電力制御手段は、前記データ取得リクエストに対する所定の応答に従って、前記印刷機構への電力供給を停止し、
前記主制御手段は、前記データ取得リクエストに対する所定の応答に従って、前記印刷制御手段が保持する前記印刷機構に関するデータを取得する、
ことを特徴とする印刷装置。
【請求項２】
前記印刷制御手段に第１の電力を供給し、前記印刷機構に前記第１の電力よりも高い第２の電力を供給する電力供給手段をさらに備えることを特徴とする請求項１に記載の印刷装置。
【請求項３】
前記データは、前記記録媒体上に画像を形成するための材料の使用状況、前記記録媒体の通紙枚数、前記印刷装置の通電時間、の少なくとも１つを含む、ことを特徴とする請求項１又は２に記載の印刷装置。
【請求項４】
前記印刷機構は、定着ユニットとファンを含むことを特徴とする請求項１乃至３のいずれか１項に記載の印刷装置。
【請求項５】
前記主制御手段は、前記印刷機構に対し、印刷処理に関わる駆動系をリセットする処理の実行を指示し、
前記電力制御手段は、前記リセットする処理が完了した後に、前記印刷制御手段への電力供給を停止することを特徴とする請求項１乃至４のいずれか１項に記載の印刷装置。
【請求項６】
前記電力制御手段は、前記印刷制御手段が保持する前記印刷機構に関するデータの取得が完了した後に、前記印刷制御手段に対して電力の供給を停止することを特徴とする請求項１乃至４のいずれか1項に記載の印刷装置。
【請求項７】
前記所定の条件は、前記印刷装置をシャットダウンするための条件であることを特徴とする請求項１乃至６のいずれか1項に記載の印刷装置。
【請求項８】
前記印刷機構は、定着ユニットを含み、
前記印刷制御手段は、前記所定の応答に従って、前記定着ユニットを離間させる処理を行う、
ことを特徴とする請求項１乃至３のいずれか１項に記載の印刷装置。
【請求項９】
前記印刷機構は、フィニッシャのリフタを含み、
前記印刷制御手段は、前記所定の応答に従って、前記リフタを下す処理を行う、
ことを特徴とする請求項１乃至３のいずれか１項に記載の印刷装置。
【請求項１０】
前記印刷機構は、モーターを含み、
前記印刷制御手段は、前記所定の応答に従って、前記モーターを駆動する処理を行う、
ことを特徴とする請求項１乃至３のいずれか１項に記載の印刷装置。
【請求項１１】
記録媒体上に画像を形成力する印刷機構と、
前記印刷機構を制御し、前記印刷機構に関するデータを保持する印刷制御手段と、
前記印刷機構及び前記印刷制御手段に対して電力の供給と停止を行う電力制御手段と、
前記印刷制御手段と通信可能に接続される主制御手段と、
を備え、
前記主制御手段は、所定の条件に従って前記印刷制御手段が保持する前記印刷機構に関するデータを取得し、
前記電力制御手段は、前記取得の完了を待つことなく、前記印刷機構への電力供給を停止する、
ことを特徴とする印刷装置。
【請求項１２】
前記印刷制御手段に第１の電力を供給し、前記印刷機構に前記第１の電力よりも高い第２の電力を供給する電力供給手段をさらに備えることを特徴とする請求項１１に記載の印刷装置。
【請求項１３】
前記データは、前記記録媒体上に画像を形成するための材料の使用状況、前記記録媒体の通紙枚数、前記印刷装置の通電時間、の少なくとも１つを含む、ことを特徴とする請求項１１又は１２に記載の印刷装置。
【請求項１４】
前記印刷機構は、定着ユニットとファンを含むことを特徴とする請求項１１乃至１３のいずれか１項に記載の印刷装置。
【請求項１５】
前記主制御手段は、前記印刷機構に対し、印刷処理に関わる駆動系をリセットする処理の実行を指示し、
前記電力制御手段は、前記リセットする処理が完了した後に、前記印刷制御手段への電力供給を停止する
ことを特徴とする請求項１１乃至１４のいずれか１項に記載の印刷装置。
【請求項１６】
前記電力制御手段は、前記印刷制御手段が保持する前記印刷機構に関するデータの取得が完了した後に、前記印刷制御手段に対して電力の供給を停止することを特徴とする請求項１１乃至１４のいずれか１項に記載の印刷装置。
【請求項１７】
前記所定の条件は、前記印刷装置をシャットダウンするための条件であることを特徴とする請求項１１乃至１６のいずれか１項に記載の印刷装置。
【請求項１８】
前記印刷機構は、定着ユニットを含み、
前記印刷制御手段は、前記所定の応答に従って、前記定着ユニットを離間させる処理を行う、
ことを特徴とする請求項１１乃至１３のいずれか１項に記載の印刷装置。
【請求項１９】
前記印刷機構は、フィニッシャのリフタを含み、
前記印刷制御手段は、前記所定の応答に従って、前記リフタを下す処理を行う、
ことを特徴とする請求項１１乃至１３のいずれか１項に記載の印刷装置。
【請求項２０】
前記印刷機構は、モーターを含み、
前記印刷制御手段は、前記所定の応答に従って、前記モーターを駆動する処理を行う、
ことを特徴とする請求項１１乃至１３のいずれか１項に記載の印刷装置。
【請求項２１】
記録媒体上に画像を形成力する印刷機構と、
前記印刷機構を制御し、前記印刷機構に関するデータを保持する印刷制御手段と、
前記印刷機構及び前記印刷制御手段に対して電力の供給と停止を行う電力制御手段と、
前記印刷制御手段と通信可能に接続される主制御手段と、
を備え、
前記主制御手段は、
所定の条件に従って、データ取得リクエストを前記印刷制御手段に送信し、
前記データ取得リクエストに対する所定の応答に従って、前記印刷制御手段が保持する前記印刷機構に関するデータを取得し、
所定の条件に従って前記印刷制御手段が保持する前記印刷機構に関するデータを取得し、
前記電力制御手段は、前記取得の完了を待つことなく、前記印刷制御手段に終了リクエストを送信し、
前記電力制御手段は、前記終了リクエストに対する所定の応答に従って、前記印刷機構への電力供給を停止する、
ことを特徴とする印刷装置。
【請求項２２】
前記印刷制御手段に第１の電力を供給し、前記印刷機構に前記第１の電力よりも高い第２の電力を供給する電力供給手段をさらに備えることを特徴とする請求項２１に記載の印刷装置。
【請求項２３】
前記データは、前記記録媒体上に画像を形成するための材料の使用状況、前記記録媒体の通紙枚数、前記印刷装置の通電時間、の少なくとも１つを含む、ことを特徴とする請求項２１又は２２に記載の印刷装置。
【請求項２４】
前記印刷機構は、定着ユニットとファンを含むことを特徴とする請求項２１乃至２３のいずれか１項に記載の印刷装置。
【請求項２５】
前記主制御手段は、前記印刷機構に対し、印刷処理に関わる駆動系をリセットする処理の実行を指示し、
前記電力制御手段は、前記リセットする処理が完了した後に、前記印刷制御手段への電力供給を停止する
ことを特徴とする請求項２１乃至２４のいずれか１項に記載の印刷装置。
【請求項２６】
前記電力制御手段は、前記印刷制御手段が保持する前記印刷機構に関するデータの取得が完了した後に、前記印刷制御手段に対して電力の供給を停止することを特徴とする請求項２１乃至２４のいずれか1項に記載の印刷装置。
【請求項２７】
前記所定の条件は、前記印刷装置をシャットダウンするための条件であることを特徴とする請求項２１乃至２６のいずれか1項に記載の印刷装置。
【請求項２８】
前記印刷機構は、定着ユニットを含み、
前記印刷制御手段は、前記所定の応答に従って、前記定着ユニットを離間させる処理を行う、
ことを特徴とする請求項２１乃至２３のいずれか１項に記載の印刷装置。
【請求項２９】
前記印刷機構は、フィニッシャのリフタを含み、
前記印刷制御手段は、前記所定の応答に従って、前記リフタを下す処理を行う、
ことを特徴とする請求項２１乃至２３のいずれか１項に記載の印刷装置。
【請求項３０】
前記印刷機構は、モーターを含み、
前記印刷制御手段は、前記所定の応答に従って、前記モーターを駆動する処理を行う、
ことを特徴とする請求項２１乃至２３のいずれか１項に記載の印刷装置。
【請求項３１】
印刷装置の制御方法であって、
前記印刷装置は、
記録媒体上に画像を形成力する印刷機構と、
前記印刷機構を制御し、前記印刷機構に関するデータを保持する印刷制御手段と、
前記印刷機構及び前記印刷制御手段に対して電力の供給と停止を行う電力制御手段と、
前記印刷制御手段と通信可能に接続される主制御手段と、
を備え、
前記主制御手段によって、データ取得リクエストと終了リクエストとを、所定の条件に従って前記印刷制御手段に送信するステップと、
前記電力制御手段によって、前記データ取得リクエストに対する所定の応答に従って、前記印刷機構への電力供給を停止するステップと、
前記主制御手段によって、前記データ取得リクエストに対する所定の応答に従って、前記印刷制御手段が保持する前記印刷機構に関するデータを取得するステップと、
を含むことを特徴とする制御方法。
【請求項３２】
コンピュータを、請求項１乃至３０のいずれか１項に記載の装置として機能させるためのプログラム。